(57)【要約】【課題】容器本体からの中敷部材の意図しない離脱を抑制する。【解決手段】収容部１１ａを備える容器本体１３と、収容部１１ａを開放可能に閉塞する蓋体１４と、容器本体１３と蓋体１４との間に配置された中敷部材１５と、を備え、中敷部材１５は、収容部１１ａを覆う本体部３３と、容器本体１３に設けられたフランジ部１１ｃに係止する固定部３４と、を備え、固定部３４は、本体部３３から下方に向けて延び、フランジ部１１ｃを上下方向に貫通する装着孔１１ｅに差し込まれた差込部と、差込部と容器本体１３の径方向に対向し、フランジ部１１ｃに下方から係止する主係止部と、差込部と主係止部とを連結し、上下方向に延びる第１折曲部と、を備えている。【選択図】図２
2018086216.tif 000002
【特許請求の範囲】
【請求項１】
内容物が収容される収容部を備える容器本体と、
前記収容部を開放可能に閉塞する蓋体と、
前記容器本体と前記蓋体との間に配置された中敷部材と、を備え、
前記中敷部材は、前記収容部を覆う本体部と、前記本体部に連結され、前記容器本体に設けられた被係止部に係止する固定部と、を備えるコンパクト容器であって、
前記固定部は、前記本体部から下方に向けて延び、前記被係止部を上下方向に貫通する装着孔に差し込まれた差込部と、前記差込部と前記容器本体の径方向に対向し、前記被係止部に下方から係止する主係止部と、前記差込部と前記主係止部とを連結し、上下方向に延びる第１折曲部と、を備えていることを特徴とするコンパクト容器。
【請求項２】
前記固定部は、前記差込部または前記主係止部から前記径方向に延び、前記被係止部に下方から係止する副係止部を更に備えていることを特徴とする請求項１に記載のコンパクト容器。
【請求項３】
前記差込部および前記主係止部は、それぞれの下端縁から上方に向かうに従い漸次、前記コンパクト容器の上面視における前記装着孔の延在方向に大きくなっていることを特徴とする請求項１または２に記載のコンパクト容器。
【発明の詳細な説明】
【技術分野】
【０００１】
本発明は、コンパクト容器に関する。
【背景技術】
【０００２】
従来から、コンパクト容器として、内容物が収容される収容部を備える容器本体と、収容部を開放可能に閉塞する蓋体と、容器本体と蓋体との間に配置された中敷部材と、を備える構成が知られている。中敷部材は、収容部を覆う本体部と、本体部に連結され、容器本体に設けられた被係止部に係止する固定部と、を備える。中敷部材は、例えば、化粧料などの内容物が蓋体に付着することを防止する。
近年においては、この種のコンパクト容器を活用し、化粧料のみを交換可能なように、化粧料を、化粧料レフィル（化粧料収納皿、中皿）として販売することも行われている（例えば、特許文献１参照）。この場合、使用者自身が、化粧料レフィルをコンパクト容器の収容部に固定して使用する。特許文献１には、中敷部材を、化粧料レフィルを載置する支持枠（内容器）に取り付け、中敷部材にヒンジ部を設けることなく、化粧料レフィルの上面を開閉可能としたコンパクト容器が記載されている。
【先行技術文献】
【特許文献】
【０００３】
【特許文献１】特開２００２−６５３４８号公報
【発明の概要】
【発明が解決しようとする課題】
【０００４】
しかしながら、前記従来のコンパクト容器では、中敷部材が意図せず簡単に外れてしまう可能性があった。
【０００５】
本発明は、前述した事情に鑑みてなされたものであって、容器本体からの中敷部材の意図しない離脱を抑制することを目的とする。
【課題を解決するための手段】
【０００６】
前記課題を解決するために、本発明は以下の手段を提案している。
本発明に係るコンパクト容器は、内容物が収容される収容部を備える容器本体と、前記収容部を開放可能に閉塞する蓋体と、前記容器本体と前記蓋体との間に配置された中敷部材と、を備え、前記中敷部材は、前記収容部を覆う本体部と、前記本体部に連結され、前記容器本体に設けられた被係止部に係止する固定部と、を備えるコンパクト容器であって、前記固定部は、前記本体部から下方に向けて延び、前記被係止部を上下方向に貫通する装着孔に差し込まれた差込部と、前記差込部と前記容器本体の径方向に対向し、前記被係止部に下方から係止する主係止部と、前記差込部と前記主係止部とを連結し、上下方向に延びる第１折曲部と、を備えていることを特徴とする。
【０００７】
この発明によれば、例えば、中敷部材を成形した直後など、中敷部材を容器本体に組み付ける前の状態では、中敷部材が展開されていて第１折曲部が折り曲げられておらず、本体部、差込部および主係止部が同一平面上に位置する。
中敷部材を容器本体に組み付けるときには、展開されている中敷部材の第１折曲部を折り曲げて、差込部および主係止部を重ね合わせる。この状態で、固定部を装着孔に差し込むと、例えば第１折曲部の復元力等に基づいて、主係止部が差込部から、容器本体の径方向に離間する。これにより、コンパクト容器の上面視において、主係止部が装着孔から径方向に離間する。
以上のように、このコンパクト容器によれば、前記上面視において、主係止部が装着孔から径方向に離間する。したがって、本体部を操作したときに、本体部に加えられた外力が固定部に伝達されても、主係止部を被係止部に確実に係止させることができる。
ここで例えば、第１折曲部が、例えば、コンパクト容器の上面視における装着孔の延在方向などに延びている場合、前記外力が固定部に伝達されて主係止部が被係止部に係止したときに、差込部が装着孔を上方に通過しながら、第１折曲部が伸展して主係止部が第１折曲部を起点として上下反転し、固定部が展開される。その結果、被係止部に対する主係止部の係止が解除されるおそれがある。
これに対して、このコンパクト容器によれば、第１折曲部が、上下方向に延びている。したがって、前記外力が固定部に伝達されて主係止部が被係止部に係止したときに、第１折曲部が伸展することが抑えられる。これにより、主係止部が被係止部に係止した状態を維持することができる。
以上より、例えば、本体部を操作したとき等に、主係止部を被係止部に確実に係止させ続けることが可能になり、中敷部材が容器本体から意図せず離脱するのを抑制することができる。
【０００８】
前記固定部は、前記差込部または前記主係止部から前記径方向に延び、前記被係止部に下方から係止する副係止部を更に備えていてもよい。
【０００９】
この場合、副係止部が、差込部または主係止部から径方向に延び、被係止部に下方から係止する。したがって、主係止部が被係止部に係止していることと相俟って、固定部を被係止部に強く係止させることができる。なお副係止部が、主係止部ではなく差込部から径方向に延びて被係止部と主係止部との間に配置される場合、主係止部によって副係止部を下方から支持することが可能になり、固定部を被係止部に確実に強く係止させることができる。
【００１０】
前記差込部および前記主係止部は、それぞれの下端縁から上方に向かうに従い漸次、前記コンパクト容器の上面視における前記装着孔の延在方向に大きくなっていてもよい。
【００１１】
この場合、差込部および主係止部が、それぞれの下端縁から上方に向かうに従い漸次、前記延在方向に大きくなっている。したがって、固定部を装着孔に差し込むときに、差込部および主係止部を重ね合わせた状態で、差込部および主係止部をそれぞれの下端縁から装着孔に容易に差し込むことができる。
【発明の効果】
【００１２】
本発明によれば、容器本体からの中敷部材の意図しない離脱を抑制することができる。
【図面の簡単な説明】
【００１３】
【図１】第１実施形態に係るコンパクト容器の上面図であり、蓋体を開いた状態を示している。
【図２】図１に示すＡ−Ａ断面矢視図である。
【図３】図２に示すコンパクト容器の要部の拡大図である。
【図４】図３に示すＢ−Ｂ矢視断面図である。
【図５】図４に示す中敷部材の要部を左右方向の外側（矢印Ｃ側）から見た正面図である。
【図６】図１に示すコンパクト容器を構成する中敷部材を展開した状態を示す上面図である。
【図７】図６に示す中敷部材において第１折曲部を折り曲げた状態を示す上面図である。
【図８】図７に示す中敷部材を容器本体に組み付ける状態を説明する断面図であって、図３の拡大図に相当する図である。
【図９】第２実施形態に係るコンパクト容器の要部の断面図であって、図３の拡大図に相当する図である。
【図１０】図９に示すＤ−Ｄ矢視断面図である。
【図１１】図１０に示すコンパクト容器を構成する中敷部材を展開した状態を示す上面図である。
【図１２】図１１に示す中敷部材において第１折曲部を折り曲げた状態を示す上面図である。
【図１３】図１２に示す中敷部材において第２折曲部を折り曲げた状態を示す上面図である。
【図１４】図１３に示す中敷部材を容器本体に組み付ける状態を説明する断面図であって、図９の拡大図に相当する図である。
【図１５】図１３に示す中敷部材を容器本体に組み付ける状態を説明する断面図であって、図１４に示す状態から固定部を装着孔に更に差し込んだ状態を示す図である。
【図１６】図１３に示す中敷部材を容器本体に組み付ける状態を説明する断面図であって、図１５に示す状態から固定部を装着孔に更に差し込んだ状態を示す図である。
【発明を実施するための形態】
【００１４】
（第１実施形態）
以下、第１実施形態に係るコンパクト容器の構成を、図１から図８を参照しながら説明する。なお、以下の説明に用いる各図面では、各部材を認識可能な大きさとするため縮尺を適宜変更している。
【００１５】
図１および図２に示すように、コンパクト容器１０は、例えば、内容物としてのファンデーション等の化粧品が充填された中皿Ｓを収容する携帯用の蓋付き容器である。コンパクト容器１０は、中皿Ｓが収容される収容部１１ａを備えた内容器１１および内容器１１が収容された外容器１２を有する容器本体１３と、収容部１１ａを開放可能に閉塞する蓋体１４と、容器本体１３と蓋体１４との間に配置された中敷部材１５（中敷シート）と、を備える。
【００１６】
容器本体１３は、全体として偏平な有底筒状に形成され、蓋体１４は、偏平な有頂筒状に形成されている。これらの容器本体１３および蓋体１４の各中心軸は、共通軸上に配置されている。以下では、この共通軸を容器軸Ｏといい、容器軸Ｏに沿う方向を上下方向という。上下方向に沿って、容器本体１３の底部側を下方といい、蓋体１４の天壁部側を上方という。上下方向から見た平面視において、容器軸Ｏに交差する方向を径方向といい、容器軸Ｏ回りに周回する方向を周方向という。
【００１７】
図１に示すように、蓋体１４は、容器本体１３に対してヒンジ１６を介して連結されている。蓋体１４は、ヒンジ１６回りに上下方向に回動可能であり、容器本体１３の収容部１１ａを開閉する。以下では、ヒンジ１６の軸線方向を左右方向といい、上下方向および左右方向の両方向に直交する方向を前後方向という。また、前後方向に沿う容器軸Ｏに対するヒンジ１６側を後側といい、その反対側を前側という。
【００１８】
（蓋体）
図２に示すように、蓋体１４内には、内容物を皮膚などの被塗布面に塗布する塗布具５０が収容されている。塗布具５０は、中敷部材１５上に載置されている。蓋体１４の頂壁には、鏡体３０が取り付けられている。鏡体３０は、板状に形成されている。鏡体３０は、蓋体１４の天壁部の下面に固定されている。図１に示すように、蓋体１４の後端部には、ヒンジ凸部２９が設けられている。ヒンジ凸部２９は、蓋体１４から下方に向けて延びている。ヒンジ凸部２９は、容器本体１３の後端部に設けられて前方に向けて窪むヒンジ凹部２３の内側に位置している。ヒンジ凹部２３とヒンジ凸部２９とが、左右方向に延びる軸部３１を介して連結されることで、前記ヒンジ１６が構成されている。
【００１９】
（容器本体）
容器本体１３はプッシュピース２４を備えている。プッシュピース２４は、容器本体１３の前端部に設けられている。プッシュピース２４は、前方付勢状態で後方に向けて押し込み可能に設けられている
容器本体１３および蓋体１４には、係合部が各別に設けられている。蓋体１４が閉じられた状態では、容器本体１３および蓋体１４の各係合部が互いに係合することで、蓋体１４のヒンジ１６回りの回動が規制される。各係合部は、互いに乗り越え可能に係合されており、プッシュピース２４が後方に向けて押し込まれたときにこの係合が解除され、蓋体１４のヒンジ１６周りの回動が許容される。
【００２０】
図２に示すように、外容器１２は、中心軸が容器軸Ｏ上に位置する扁平な有底筒状に形成されている。内容器１１は、収容筒部１１ｂと、収容筒部１１ｂの上端開口縁から径方向外側に向けて延びる環状のフランジ部１１ｃ（被係止部）と、を有している。収容筒部１１ｂおよびフランジ部１１ｃの各中心軸は、容器軸Ｏ上に配置されている。内容器１１の収容筒部１１ｂと、外容器１２の底壁部１２ａと、により、先述の収容部１１ａが画成されている。図示の例では、この収容部１１ａ内に固形の内容物が充填された中皿Ｓが収容されている。
【００２１】
図３に示すように、フランジ部１１ｃの左右方向における一方側（以下、左側という）の端部には、上方に向けて開口し、上下方向に延びる装着孔１１ｅが形成されている。装着孔１１ｅは、フランジ部１１ｃを上下方向に貫通している。図１に示すように、装着孔１１ｅは、前後方向に沿って直線状に延びている。コンパクト容器１０の上面視における装着孔１１ｅの延在方向は、前後方向となっている。図３に示すように、装着孔１１ｅは、容器本体１３に設けられた内空間１３ａに開口している。内空間１３ａは、内容器１１と外容器１２との間に設けられている。内空間１３ａは、周方向の全周にわたって延びる環状に形成されている。
【００２２】
（中敷部材）
中敷部材１５は、ＰＥＴ（ポリエチレンテレフタレート）により形成されている。中敷部材１５の材質としては、ＰＥＴの他、ＰＰ（ポリプロピレン）などを用いることができる。ＰＥＴおよびＰＰは、曲げ弾性率などの機械的特性に優れるため、中敷部材１５の材質として好ましい。特にＰＥＴは、高い透明度を有しているため、内容物を視認可能な状態で覆うことが可能であり、中敷部材１５の材質として最適である。なお、ＰＥＴおよびＰＰ以外の材質を用いて中敷部材１５を形成してもよい。中敷部材１５は、シート状に形成されている。中敷部材１５の厚さは、例えば約３０μｍ〜１０００μｍであってもよい。
【００２３】
図１から図３に示すように、中敷部材１５は、収容部１１ａを全域にわたって覆う本体部３３と、フランジ部１１ｃに係止する固定部３４と、本体部３３と固定部３４とを連結する本体折曲部３５と、を備えている。
本体部３３は、被覆部３６と、操作部３７と、規制部３８と、連結部３９と、を備えている。被覆部３６は、収容部１１ａ上に配置されている。被覆部３６は、前記上面視において、中皿Ｓと同等の形状でかつ同等の大きさに形成されている。
【００２４】
操作部３７は、被覆部３６から左右方向における他方側（以下、右側という）に突出している。規制部３８は、フランジ部１１ｃにおける左側の端部上に配置されている。規制部３８は、装着孔１１ｅの右側に隣接して配置されている。規制部３８は、前後方向に装着孔１１ｅよりも大きい矩形状に形成されている。連結部３９は、被覆部３６から左側に突出している。連結部３９における左側の端部は、規制部３８に右側から連結されている。連結部３９は、被覆部３６と規制部３８とを左右方向に連結している。
【００２５】
図３に示すように、固定部３４は、本体部３３の外周縁から下方に向けて突出している。固定部３４は、本体部３３における左右方向の端部に配置されている。図１に示すように、本体折曲部３５は、周方向に延びていて、図示の例では、前後方向に沿って直線状に延びている。つまり、本体折曲部３５の延在方向は、前後方向となっている。
【００２６】
図３から図５に示すように、固定部３４は、本体部３３から下方に向けて延び、装着孔１１ｅに差し込まれた差込部４０と、差込部４０に対して左右方向（径方向）に対向し、フランジ部１１ｃに下方から係止する主係止部４１と、差込部４０と主係止部４１とを連結する第１折曲部４２と、を備えている。
【００２７】
差込部４０は、装着孔１１ｅよりも前後方向に小さい。図５に示すように、差込部４０は、下端縁から上方に向かうに従い漸次、前後方向（延在方向）に大きくなっている。差込部４０は、下側に位置する先鋭部４３と、上側に位置する基部４４と、を備えている。
先鋭部４３は、下方から上方に向かうに従い漸次、前後方向（延在方向）に大きくなっている。先鋭部４３は、その正面視において、下方に向けて突となる三角形状に形成されている。図示の例では、先鋭部４３は、前記正面視において直角三角形状に形成されていて、先鋭部４３の後端縁が、上下方向に沿って直線状に延びている。図３に示すように、先鋭部４３は、フランジ部１１ｃの下方に位置していて、内空間１３ａ内に配置されている。
【００２８】
基部４４は、先鋭部４３と本体折曲部３５とを連結する。基部４４は、上下方向の全長にわたって前後方向に同等の大きさであり、装着孔１１ｅ内に配置されている。図５に示すように、基部４４は、先鋭部４３の上端縁よりも前後方向に小さい。基部４４の後端縁は、先鋭部４３の後端縁に先鋭部４３の上端縁を介して段状に連なっている。基部４４の前端縁は、先鋭部４３の前端縁に先鋭部４３の上端縁を介して段状に連なっている。
【００２９】
図３に示すように、主係止部４１は、差込部４０に左右方向の外側（径方向の外側）から対向している。図４および図５に示すように、主係止部４１は、先鋭部４３と同等の形状でかつ同等の大きさに形成されている。主係止部４１は、下端縁から上方に向かうに従い漸次、前後方向（本体折曲部３５の延在方向、装着孔１１ｅの延在方向）に大きくなっている。主係止部４１は、その正面視において、下方に向けて突となる三角形状に形成されている。図示の例では、主係止部４１は、前記正面視において直角三角形状に形成されていて、主係止部４１の後端縁が、上下方向に沿って直線状に延びている。図３に示すように、主係止部４１は、フランジ部１１ｃの下方に位置していて、内空間１３ａ内に配置されている。
【００３０】
図４および図５に示すように、第１折曲部４２は、差込部４０および主係止部４１それぞれにおける後端縁同士（本体折曲部３５の延在方向（装着孔１１ｅの延在方向）の一方側の側端縁同士）を連結している。第１折曲部４２は、前後方向に直交（交差）する方向に延びていて、上下方向に延びている。第１折曲部４２は、差込部４０（先鋭部４３）および主係止部４１それぞれにおける後端縁に沿って真直に延びている。なお図示の例では、第１折曲部４２が、上下方向に平行に延びているが、上下方向に傾斜して延びていてもよい。
【００３１】
図４に示すように、前記上面視において、差込部４０は、前後方向に沿って真直に延び、主係止部４１は、後側から前側に向かうに従い漸次左側に向けて延びている。差込部４０と主係止部４１との間の左右方向の距離は、後側から前側に向かうに従い漸次大きくなっている。
【００３２】
図６に示すように、本体部３３および固定部３４は、本体折曲部３５および第１折曲部４２を平らにすることで平面状に展開することが可能であり、中敷部材１５は透明かつ弾性を有する１枚のシート材によって形成されている。すなわち、図１から図５に示す中敷部材１５は、本体折曲部３５および第１折曲部４２が折り曲げられた状態となっている。中敷部材１５は全体として透明であるため、中敷部材１５の本体部３３を通して収容部１１ａ内の内容物を視認することができる。
【００３３】
図６に示すように、中敷部材１５を平面状に展開した状態では、固定部３４は、本体部３３から左側に向けて突設され、主係止部４１は、差込部４０から後側に向けて突設されている。このように、例えば、中敷部材１５を成形した直後など、中敷部材１５を容器本体１３に組み付ける前の状態では、中敷部材１５が展開されていて、本体折曲部３５および第１折曲部４２が折り曲げられておらず、本体部３３、差込部４０および主係止部４１が同一平面上に位置する。
【００３４】
前記中敷部材１５を容器本体１３に組み付けるときには、図７に示すように、展開されている中敷部材１５の第１折曲部４２を折り曲げて、差込部４０および主係止部４１を重ね合わせる。この状態で、図８に示すように、本体折曲部３５を更に折り曲げ、固定部３４を装着孔１１ｅに差し込む。すると図３に示すように、例えば第１折曲部４２の復元力等に基づいて、主係止部４１が差込部４０から、左右方向（径方向）に離間する。これにより、前記上面視において、主係止部４１が装着孔１１ｅから左右方向に離間する。なお前記中敷部材１５では、規制部３８が装着孔１１ｅよりも前後方向に大きいことから、中敷部材１５において規制部３８よりも右側に位置する部分が、装着孔１１ｅに入り込むことがなく、規制部３８が、中敷部材１５の装着孔１１ｅへの過度の差し込みを規制することができる。
【００３５】
以上説明したように、本実施形態に係るコンパクト容器１０によれば、前記上面視において、主係止部４１が装着孔１１ｅから左右方向に離間する。したがって、本体部３３を本体折曲部３５回りに回動させて本体部３３を操作したときに、本体部３３に加えられた外力が本体折曲部３５を介して固定部３４に伝達されても、主係止部４１をフランジ部１１ｃに確実に係止させることができる。
ここで例えば、第１折曲部４２が、差込部４０および主係止部４１それぞれにおける下端縁同士を連結して前後方向（本体折曲部３５の延在方向、装着孔１１ｅの延在方向）に延びている場合、前記外力が固定部３４に伝達されて主係止部４１がフランジ部１１ｃに係止したときに、差込部４０が装着孔１１ｅを上方に通過しながら、第１折曲部４２が伸展して主係止部４１が第１折曲部４２を起点として上下反転し、固定部３４が展開される。その結果、フランジ部１１ｃに対する主係止部４１の係止が解除されるおそれがある。
これに対して、このコンパクト容器１０によれば、第１折曲部４２が、差込部４０および主係止部４１それぞれにおける後端縁同士を連結し、第１折曲部４２が、前後方向に交差する方向である上下方向に延びている。したがって、前記外力が固定部３４に伝達されて主係止部４１がフランジ部１１ｃに係止したときに、第１折曲部４２が伸展することが抑えられる。これにより、主係止部４１がフランジ部１１ｃに係止した状態を維持することができる。
以上より、例えば、本体部３３を本体折曲部３５回りに回動させたとき等に、主係止部４１をフランジ部１１ｃに確実に係止させ続けることが可能になり、中敷部材１５が容器本体１３から意図せず離脱するのを抑制することができる。
【００３６】
また、差込部４０および主係止部４１が、それぞれの下端縁から上方に向かうに従い漸次、前後方向に大きくなっている。したがって、固定部３４を装着孔１１ｅに差し込むときに、差込部４０および主係止部４１を重ね合わせた状態で、差込部４０および主係止部４１をそれぞれの下端縁から装着孔１１ｅに容易に差し込むことができる。
【００３７】
（第２実施形態）
次に、本発明に係る第２実施形態のコンパクト容器６０を、図９から図１６を参照して説明する。
なお、この第２実施形態においては、第１実施形態における構成要素と同一の部分については同一の符号を付し、その説明を省略し、異なる点についてのみ説明する。
【００３８】
本実施形態に係るコンパクト容器６０では、固定部３４が、副係止部６１と、第２折曲部６２と、を更に備えている。
図９および図１０に示すように、副係止部６１は、差込部４０または主係止部４１から左右方向（径方向）に延びている。本実施形態では、副係止部６１は、差込部４０の上端縁から左右方向の外側に延びている。副係止部６１は、フランジ部１１ｃと主係止部４１との間に配置されている。図示の例では、副係止部６１は、先鋭部４３の上端縁から左右方向の外側に延びていて、フランジ部１１ｃの下面と主係止部４１の上端縁との間に配置されている。
【００３９】
第２折曲部６２は、差込部４０の上端縁と、副係止部６１における左右方向の内側（径方向の内側）の端縁と、を連結している。第２折曲部６２は、前後方向に延びていて、本体折曲部３５と同一方向に延びている。
【００４０】
図１１に示すように、中敷部材１５が展開されている状態では、本体折曲部３５、第１折曲部４２および第２折曲部６２が折り曲げられておらず、本体部３３、差込部４０、主係止部４１および副係止部６１が同一平面上に位置する。副係止部６１は、先鋭部４３から左右方向の内側に向けて突出している。
【００４１】
前記中敷部材１５を容器本体１３に組み付けるときには、図１２に示すように、展開されている中敷部材１５の第１折曲部４２を折り曲げて、差込部４０および主係止部４１を重ね合わせる。また、図１３に示すように、第２折曲部６２を折り曲げて第２折曲部６２を癖付する。このとき、第２折曲部６２を左右方向の外側に向けて折り畳む。この状態で、図１４に示すように、本体折曲部３５を更に折り曲げ、固定部３４を装着孔１１ｅに差し込む。
【００４２】
このとき、互いに重ね合わされた差込部４０および主係止部４１を装着孔１１ｅに差し込み、固定部３４を下降させる。この過程で図１５に示すように、副係止部６１が、フランジ部１１ｃに上方から係止して、図１６に示すように、第２折曲部６２が伸展されて副係止部６１が一旦、展開され、副係止部６１が装着孔１１ｅを通過する。このとき、第２折曲部６２が前述のように癖付され、副係止部６１が左右方向の外側に向けて付勢されているものの、副係止部６１が装着孔１１ｅの内周面に係止することで、副係止部６１が展開された状態が維持される。
【００４３】
副係止部６１が装着孔１１ｅを通過すると、図９に示すように、例えば第１折曲部４２の復元力等に基づいて、主係止部４１が差込部４０から、容器本体１３の左右方向に離間するとともに、第２折曲部６２の復元力に基づいて、副係止部６１が差込部４０から左右方向の外側に延び、フランジ部１１ｃと主係止部４１との間に配置される。
【００４４】
以上説明したように、本実施形態に係るコンパクト容器６０によれば、副係止部６１が、差込部４０または主係止部４１から左右方向に延び、フランジ部１１ｃに下方から係止する。したがって、主係止部４１がフランジ部１１ｃに係止していることと相俟って、固定部３４をフランジ部１１ｃに強く係止させることができる。なお本実施形態のように、副係止部６１が、主係止部４１ではなく差込部４０から左右方向に延びてフランジ部１１ｃと主係止部４１との間に配置される場合、主係止部４１によって副係止部６１を下方から支持することが可能になり、固定部３４をフランジ部１１ｃに確実に強く係止させることができる。
【００４５】
なお、本発明の技術的範囲は前記実施形態に限定されるものではなく、本発明の趣旨を逸脱しない範囲において種々の変更を加えることが可能である。
【００４６】
例えば、前記実施形態では、内容器１１のフランジ部１１ｃに装着孔１１ｅが形成されていたが、これに限られず、外容器１２と内容器１１との間の隙間を装着孔１１ｅとして用いてもよい。
【００４７】
前記実施形態では、収容部１１ａ内に中皿Ｓが収容されるが、中皿Ｓは、収容部１１ａ内に実質的に離脱不能に収容されて（固定されて）いてもよいし、収容部１１ａ内に着脱可能に収容されていてもよい。中皿Ｓが収容部１１ａ内に着脱可能に収容されている場合、中皿Ｓ内の内容物を使用し終えた後、その中皿Ｓを、新たなレフィル用の中皿Ｓに交換することができる。
前記実施形態では、収容部１１ａ内に中皿Ｓが収容されるが、収容部１１ａ内に内容物が直接収容されてもよい。
【００４８】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４９】
１０、６０     コンパクト容器
１１   内容器
１１ａ 収容部
１１ｅ 装着孔
１２   外容器
１３   容器本体
１３ａ 内空間
１４   蓋体
１５   中敷部材
３３   本体部
３４   固定部
３５   本体折曲部
４０   差込部
４１   主係止部
４２   第１折曲部
６１   副係止部
６２   第２折曲部
【図１】
2018086216.tif 000003
【図２】
2018086216.tif 000004
【図３】
2018086216.tif 000005
【図４】
2018086216.tif 000006
【図５】
2018086216.tif 000007
【図６】
2018086216.tif 000008
【図７】
2018086216.tif 000009
【図８】
2018086216.tif 000010
【図９】
2018086216.tif 000011
【図１０】
2018086216.tif 000012
【図１１】
2018086216.tif 000013
【図１２】
2018086216.tif 000014
【図１３】
2018086216.tif 000015
【図１４】
2018086216.tif 000016
【図１５】
2018086216.tif 000017
【図１６】
2018086216.tif 000018